(57)【要約】【課題】簡便な構成で、クーラント配管をケースに迅速かつ円滑に取り付けることができると共に、ケースの内圧を吸収することができる電力変換装置を提供する。【解決手段】電力変換回路の一部を構成する電子部品９４等を冷却する冷却器４０のクーラント導入管４２及びクーラント排出管と、電子部品９４等及び冷却器４０を収容する金属製のケース２０の壁部２２と、の間をシールするようにケース２０の開口部３０に配設されたシール部材６０は、ケース２０の内圧を調整する変形自在な内圧変化緩衝部６３を備える。【選択図】図２
2016052204.tif 000002
【特許請求の範囲】
【請求項１】
電力変換回路の一部を構成する電子部品と、
前記電子部品を冷却する冷却器と、
前記電子部品及び前記冷却器を収容する金属製のケースと、
を備えた電力変換装置において、
前記冷却器は、クーラントを導入するクーラント導入管と、前記クーラントを排出するクーラント排出管と、を有し、
前記ケースは、前記クーラント導入管及び前記クーラント排出管を各々挿通させる開口部を有し、
前記開口部には、前記クーラント導入管及び前記クーラント排出管と、前記ケースの壁部と、の間をシールするシール部材が配設され、
前記シール部材は、前記ケースの内圧を調整する変形自在な内圧変化緩衝部を備えていることを特徴とする電力変換装置。
【請求項２】
前記シール部材の前記内圧変化緩衝部は、ベローズ構造を有することを特徴とする請求項１に記載の電力変換装置。
【請求項３】
前記シール部材は、更に、前記ケースの前記壁部の内面に密接する外シール部材と、前記クーラント導入管及び前記クーラント排出管の対応するものの外面に密接する内シール部材と、を有する弾性部材であり、前記内シール部材及び前記外シール部材の内部には、各々、金属製の環状部材が配設されていることを特徴とする請求項１又は２に記載の電力変換装置。
【請求項４】
前記外シール部材における前記ケースの前記壁部の内面との接触面、並びに前記内シール部材における前記クーラント導入管及び前記クーラント排出管の対応するものの前記外面との接触面の少なくとも一方に、凸シール部を設けたことを特徴とする請求項１から３のいずれに記載の電力変換装置。
【発明の詳細な説明】
【技術分野】
【０００１】
本発明は、電力変換装置に関し、特に、ハイブリッド自動車である車両に対して好適に適用され得る電力変換装置に関する。
【背景技術】
【０００２】
近年、四輪自動車等の車両においては、駆動システムに内燃機関であるエンジンと電動モータとを協働して用いるハイブリッド自動車が普及してきている。
【０００３】
かかるハイブリッド自動車においては、エンジンと電動モータとを協働した状態で稼働させる電子制御装置の一つとして、電力変換装置を内蔵した電力制御装置が用いられている。このような電力変換装置は、相対的に大きな電力を使用するものであるため、電力変換装置の構成部品をクーラントで冷却するための冷却装置が、電力装置のケース内に装着されている場合がある。
【０００４】
かかる冷却装置においては、車両に設けられたラジエータの放熱器等から供給されたクーラントをその内部で流通させた後、その外部に導出して、再びラジエータ等に戻す必要がある。
【０００５】
このため、クーラントが循環する循環経路が電力装置のケースを通過する部分では、循環経路の一部を構成するクーラント配管がケースを貫通するため、かかる部分でケースの内部とケースの外部との気密性を確保するためのシール部材が配設されている。
【０００６】
かかる状況下で、特許文献１は、電力変換装置に関し、電子部品（半導体モジュール２）と、冷媒導入管３１１及び冷媒排出管３１２を有する冷却器３と、一方の面に開口端４１１を有すると共に側壁４５に切欠部４１２を有するケース本体４１及びケース本体４１の開口端４１１を覆う蓋体４２から成る密閉金属製の筐体４と、を備え、切欠部４１２には、冷媒導入管３１１及び冷媒排出管３１２と、ケース本体４１と、蓋体４２との間を密封するグロメット５が配設された構成を開示する。
【先行技術文献】
【特許文献】
【０００７】
【特許文献１】特開２０１１−２３３７９４号公報
【発明の概要】
【発明が解決しようとする課題】
【０００８】
しかしながら、本発明者の検討によれば、特許文献１の構成においては、筐体４の切欠部４１２に、冷媒導入管３１１及び冷媒排出管３１２と、ケース本体４１と、蓋体４２との間を密封するグロメット５が配設されているものではあるが、このグロメット５の径は、冷媒導入管３１１及び冷媒排出管３１２の管の径と同一のものであるため、その組み付けが困難になる傾向が考えられ、かつ、仕様の変更等によりこれらの管の径が変わると別の径のグロメットを用意する必要があって、その種別構成が煩雑でもある。
【０００９】
また、本発明者の検討によれば、特許文献１の構成においては、筐体４の内外で気圧差が生じる可能性については何等開示等しておらず、仕様等によりこのような気圧差が増大する電力変換装置においては、筐体４の内圧を調整するために、別途ベントプラグなどの呼吸弁を設ける必要があって、構成が煩雑になる傾向が考えられる。
【００１０】
本発明は、以上の検討を経てなされたものであり、簡便な構成で、クーラント配管をケースに迅速かつ円滑に取り付けることができると共に、ケースの内圧を吸収することができる電力変換装置を提供することを目的とする。
【課題を解決するための手段】
【００１１】
以上の目的を達成するべく、本発明は、電力変換回路の一部を構成する電子部品と、前記電子部品を冷却する冷却器と、前記電子部品及び前記冷却器を収容する金属製のケースと、を備えた電力変換装置において、前記冷却器は、クーラントを導入するクーラント導入管と、前記クーラントを排出するクーラント排出管と、を有し、前記ケースは、前記クーラント導入管及び前記クーラント排出管を各々挿通させる開口部を有し、前記開口部には、前記クーラント導入管及び前記クーラント排出管と、前記ケースの壁部と、の間をシールするシール部材が配設され、前記シール部材は、前記ケースの内圧を調整する変形自在な内圧変化緩衝部を備えていることを第１の局面とする。
【００１２】
また、本発明は、第１の局面に加えて、前記シール部材の前記内圧変化緩衝部は、ベローズ構造を有することを第２の局面とする。
【００１３】
また、本発明は、第１又は第２の局面に加えて、前記シール部材は、更に、前記ケースの前記壁部の内面に密接する外シール部材と、前記クーラント導入管及び前記クーラント排出管の対応するものの外面に密接する内シール部材と、を有する弾性部材であり、前記内シール部材及び前記外シール部材の内部には、各々、金属製の環状部材が配設されていることを第３の局面とする。
【００１４】
また、本発明は、第３の局面に加えて、前記外シール部材における前記ケースの前記壁部の内面との接触面、並びに前記内シール部材における前記クーラント導入管及び前記クーラント排出管の対応するものの前記外面との接触面の少なくとも一方に、凸シール部を設けたことを第４の局面とする。
【発明の効果】
【００１５】
以上の本発明の第１の局面にかかる電力変換装置によれば、電力変換回路の一部を構成する電子部品を冷却する冷却器のクーラント導入管及びクーラント排出管と、電子部品及び冷却器を収容する金属製のケースの壁部と、の間をシールするようにケースの開口部に配設されたシール部材は、ケースの内圧を調整する変形自在な内圧変化緩衝部を備えているものであるため、簡便な構成で、クーラント配管（クーラント導入管及びクーラント排出管）をケースに迅速かつ円滑に取り付けることができると共に、ケースの内圧を吸収することができる電力変換装置を提供することができる。特に、内圧変化緩衝部は、それ自体でケースの内部の空気体積変化（圧力変化）を緩衝することができるため、ベントプラグ等の付加的部品を廃止することができ、シール部材の構成を簡素化してその部品点数を削減することができる。併せて、シール部材は、ケース内部に湿った空気が侵入することを抑止することができ、ケース内の耐食性を向上するためのメッキやコーティング、更にはケース内の配線間等の絶縁距離確保といった過剰な結露対策を省略することができるため、装置全体として価格低減や小型化をすることができる。また、内圧変化緩衝部は、シール部材の構成要素としてそれに一体化されて含まれた構成を有するため、シール部材の構成を簡素化してその部品点数を削減することができる。また、内圧変化緩衝部は、その変形自在な特性により、シール部材をケースに装着する際の微妙な位置調整を許容することができ、シール部材の組み付け性を向上することができる。
【００１６】
また、本発明の第２の局面にかかる電力変換装置によれば、シール部材の内圧変化緩衝部が、ベローズ構造を有するものであるため、ベローズが動いて変形することにより、クーラント配管の径の大きさの変化に柔軟に対応することができ、シール部材の汎用性を高
めることができる。
【００１７】
また、本発明の第３の局面にかかる電力変換装置によれば、シール部材が、更に、ケースの壁部の内面に密接する外シール部材と、クーラント導入管及びクーラント排出管の対応するものの外面に密接する内シール部材と、を有する弾性部材であり、内シール部材及び外シール部材の内部には、各々、金属製の環状部材が配設されているものであるため、シール部材のサイズを小さくしつつ、その強度や剛性を高めながら、その組み付け性を向上することができる。
【００１８】
また、本発明の第４の局面にかかる電力変換装置によれば、外シール部材におけるケースの壁部の内面との接触面、並びに内シール部材におけるクーラント導入管及びクーラント排出管の対応するものの外面との接触面の少なくとも一方に、凸シール部を設けるものであるため、ケース及びクーラント配管に対するシール部材の密着性を高めることができる。
【図面の簡単な説明】
【００１９】
【図１】図１は、本発明の実施形態における電力変換装置が適用される電力制御装置の構成を示す斜視図である。
【図２】図２は、本実施形態における電力変換装置の構成を示す模式的な部分拡大断面図であり、位置的には図１のＡ−Ａ断面に相当する。
【図３】図３は、本実施形態における電力変換装置のシール部材の拡大正面図である。
【発明を実施するための形態】
【００２０】
以下、図面を適宜参照して、本発明の実施形態における電力変換装置につき、詳細に説明する。なお、図中、ｘ軸、ｙ軸及びｚ軸は、３軸直交座標系を成し、ｚ軸の方向は、上下方向に相当するものとする。
【００２１】
〔電力制御装置の構成〕
まず、図１を参照して、本実施形態における電力変換装置が適用される電力制御装置の構成につき、詳細に説明する。
【００２２】
図１は、本実施形態における電力変換装置が適用される電力制御装置の構成を示す斜視図である。
【００２３】
図１に示すように、電力制御装置１は、その最下部に配置されたロアケース１０と、その上に固設されたミドルケース２０と、その上に固設されたアッパケース１１０と、その上に固設されて電力制御装置１の最上部を塞ぐカバー１２０と、を備え、図示を省略するハイブリッド自動車等の車両に装着される。ロアケース１０、ミドルケース２０、アッパケース１１０及びカバー１２０は、典型的には、いずれもアルミニウム材等の金属製の鋳物又はプレス加工による成形品であり、これらはボルト等の締結部材１３０で締結されて組立体となる。かかる電力制御装置１は、典型的には、いずれも車両に装着され図示を省略するが、２次電池であるバッテリから駆動電動モータに供給する電力、及び回生機構からバッテリに供給する電力を制御する。なお、電力制御装置１は、必要に応じ、このように供給される電力の一方のみを制御してもよい。
【００２４】
具体的には、ロアケース１０は、ｘ−ｙ平面に平行な平面上を上下軸回りに周回するロア周壁１２と、その底部を塞ぐ底壁１４と、ロア周壁１２の四隅に配設されると共に車両への装着部である固定部１６と、を備える。ロアケース１０内には、平滑コンデンサＣ等が収容されて装着されると共に、底壁１４を介して、それから下方に向かって延出して下
端部が外方に露出した３相電流用コネクタが装着される。なお、図１中では、入力側３相電流用コネクタ１８のみを示している。
【００２５】
ミドルケース２０は、ｘ−ｙ平面に平行な平面上を上下軸回りに周回するミドル周壁２２と、それに固設されると共にミドルケース２０に対してクーラントを供給するクーラント供給管２４と、ミドル周壁２２に固設されると共にミドルケース２０に対して供給されたクーラントを排出するクーラント排出管２６と、ミドル周壁２２に連なる張り出し部に固設された直流電流用コネクタ２８と、を備える。ミドルケース２０内には、昇降圧リアクトルＲが収容されて装着されると共に、詳細は後述する電力変換装置２が収容されて装着される。なお、昇降圧リアクトルＲは、バッテリから駆動電動モータに電力が供給される際に昇圧リアクトルとして機能し、回生機構からバッテリに電力が供給される際に降圧リアクトルとして機能する。
【００２６】
アッパケース１１０は、ｘ−ｙ平面に平行な平面上を上下軸回りに周回するアッパ周壁１１２と、それに装着される入出力信号用コネクタ１１４と、を備える。アッパケース１１０内には、図示を省略する電力制御用のＥＣＵ（Ｅｌｅｃｔｒｏｎｉｃ  Ｃｏｎｔｒｏｌ  Ｕｎｉｔ）が収容されて装着される。
【００２７】
カバー１２０は、その外周縁部がアッパケース１１０のアッパ周壁１１２に固設される板状部材である。ロアケース１０のロア周壁１２、ミドルケース２０のミドル周壁２２、アッパケース１１０のアッパ周壁１１２、ロアケース１０の底壁１４、及びカバー１２０により、それらの内部に収容空間が画成される。
【００２８】
〔電力変換装置の構成〕
次に、更に、図２をも参照して、本実施形態における電力変換装置の構成につき、詳細に説明する。
【００２９】
図２は、本実施形態における電力変換装置の構成を示す模式的な部分拡大断面図であり、位置的には図１のＡ−Ａ断面に相当する。なお、図２中では、説明の便宜上、配管の曲がり等は省略している。
【００３０】
図２に示すように、  電力変換装置２は、水冷式であり、前述したロアケース１０と、ロアケース１０内に収容される前述した平滑コンデンサＣと、前述したミドルケース２０と、ミドルケース２０内に収容される前述した昇降圧リアクトルＲと、ミドルケース２０に固設されると共に電力変換装置２内の構成要素を冷却する冷却器４０と、ミドルケース２０及び冷却器４０間に介装されて詳細は後述するシール部材６０と、ケース５０内に収容されると共に冷却器４０上に装着された下回路基板９０と、それに電気的に接続されると共にその上に半田層９３を介して装着された複数の半導体素子９４と、を備える。この結果、平滑コンデンサＣ、昇降圧リアクトルＲ、冷却器４０、下回路基板９０、半田層９３及び半導体素子９４は、上下方向に順に配設される。かかる電力変換装置２は、典型的には、バッテリからの直流電力を３相電流の電力に変換して駆動電動モータに供給するＤＣ（Ｄｉｒｅｃｔ  Ｃｕｒｒｅｎｔ）／ＡＣ（Ａｌｔｅｒｎａｔｅ  Ｃｕｒｒｅｎｔ）変換機能、及び回生機構からの３相電流の電力を直流電力に変換してバッテリに供給するＡＣ／ＤＣ変換機能の双方を有する。なお、電力変換装置２は、必要に応じＤＣ／ＡＣ変換機能及びＡＣ／ＤＣ変換機能の一方を有していてもよい。なお、電力変換装置２の構成としては、必要に応じ、ロアケース１０及びミドルケース２０を一体成形した相対的な大きなサイズのロアケースを採用してもかまわない。
【００３１】
冷却器４０は、典型的には、アルミ材等の金属製の鋳物成形品であり、クーラント供給管２４に連通するクーラント導入管４２と、クーラント排出管２６に連通する図示を省略
したクーラント導出管と、クーラント導入管４２及びクーラント導出管間を連通するクーラント流路４６と、を備える。冷却器４０は、クーラント流路４６内を流れるクーラントにより、その下方に配設される昇降圧リアクトルＲ等、及びいずれもその上方に配設される下回路基板９０及び半田層９３を介して複数の半導体素子９４を冷却する。
【００３２】
ここで、ミドルケース２０は、詳細には、ミドル周壁２２の一部を開いてその内部を外部に開放した開口部３０を備えている。クーラント導入管４２は、開口部３０を介してミドル周壁２２を貫通した態様で、クーラント供給管２４に接続され、クーラント導入管４２とクーラント供給管２４との接続部は、締結バンド７０で締結されて固定される。なお、図２では、説明に便宜上、クーラント導入管４２に関連した構成を示し、以降の説明でも、主としてクーラント導入管４２に関連した構成に着目するが、クーラント導出管に関しても同様に成立するものである。
【００３３】
下回路基板９０は、ｘ−ｙ平面に平行に配設されると共に、典型的には、平板状のＤＣＢ（Ｄｉｒｅｃｔ  Ｃｏｐｐｅｒ  Ｂｏｎｄ）基板であり、アルミナセラミックス基板である絶縁基板９１上に銅回路板９２を接合した回路基板である。絶縁基板９１の下面は、図示を省略する半田層を介してクーラント流路４６が形成された冷却器４０の上面に装着される。銅回路板９２の上面の所定部位には、半田層９３が接合される。
【００３４】
複数の半導体素子９４は、典型的には、ＩＧＢＴ（Ｉｎｓｕｌａｔｅｄ  Ｇａｔｅ  Ｂｉｐｏｌａｒ  Ｔｒａｎｓｉｓｔｏｒ）等のパワー半導体素子であり、半田層９３を介して、下回路基板９０の銅回路板９２上に接合されると共に、それらの端子は、対応して下回路基板９０の銅回路板９２に電気的に接続される。複数の半導体素子９４は、
それらが電気的に接続すると共にそれらの上方でケース５０の上部に装着された図示を省略する上回路基板の駆動回路による駆動制御の下で、協働してスイッチング動作を行い、電力変換装置２の電力変換機能が実現される。
【００３５】
〔シール部材の構成〕
次に、更に、前述した図２に加えて図３をも参照して、本実施形態における電力変換装置のシール部材の構成につき、詳細に説明する。
【００３６】
図３は、本実施形態における電力変換装置のシール部材の拡大正面図である。
【００３７】
図２及び図３に示すように、シール部材６０は、典型的には、ゴム材等の弾性部材製であって、中央部に貫通孔を有してそれを囲む内側部位及び内側部位を囲む外側部位が各々厚肉部となった部材であり、ミドルケース２０のミドル周壁２２に設けられた開口部３０に装着されてそれを塞ぐ構成を有している。なお、図中では、説明の便宜上、シール部材６０は、正面視で円形状を有するものとしたが、ミドルケース２０のミドル周壁２２や開口部３０の形状に合わせて矩形状等のその他の形状を有するものであってもよい。
【００３８】
具体的には、シール部材６０は、冷却器４０のクーラント導入管４２の形状に整合した形状を有する環状の内シール部材６１と、ミドルケース２０の開口部３０の形状に整合した形状を有する環状の外シール部材６２と、内シール部材６１及び外シール部材６２の間に配設されてこれらを接続する内圧変化緩衝部６３と、を備える。内シール部材６１及び外シール部材６２は、共に同軸に配設されてその軸周りに連なる厚肉部であり、外シール部材６２は、内シール部材６１の外側を囲んでいる。外シール部材６２の外周面とミドルケース２０の開口部３０の内壁面とが密着した状態で、シール部材６０は、外シール部材６２を介してミドルケース２０に装着される。併せて、内シール部材６１の中央部分は、貫通孔Ｏを成し、貫通孔Ｏには冷却器４０のクーラント導入管４２が挿通されて、貫通孔Ｏの内周面とクーラント導入管４２の外周面とが密着した状態で、シール部材６０が、内
シール部材６１を介してクーラント導入管４２を保持する。つまり、クーラント導入管４２は、シール部材６０を介してミドルケース２０に組み付けられる。
【００３９】
ここで、内圧変化緩衝部６３は、内シール部材６１と外シール部材６２との間の領域を塞ぐ薄肉部であり、所定の弾性を有してその内方と外方、つまりミドルケース２０の内部空間と外部環境との気圧差に応じた変形を生じるものである。内圧変化緩衝部６３は、このように変形することにより、ミドルケース２０の内部空間の圧力がその内部温度の上昇等に起因して増大する場合であっても、その内部空間の圧力変化を逃がして内圧を実質一定に調整し、内シール部材６１及び外シール部材６２に対してミドルケース２０の外方に向いた力が印加されることを抑制する。また、内圧変化緩衝部６３は、クーラント導入管４２が大径化された場合であっても、径方向に収縮することにより貫通孔Ｏの径が拡大して、その大径化されたクーラント導入管４２を挿通自在である。また、内圧変化緩衝部６３は、シール部材６０をミドルケース２０の開口部３０に装着する際に柔軟に変形することにより、ミドルケース２０に対するシール部材６０の位置調整を可能としてその組み付け性を向上する。かかる内圧変化緩衝部６３としては、成形の簡便性や耐久性等を考慮すると、ベローズ構造であることが好ましい。
【００４０】
ここで、シール部材６０の強度、剛性や組み付け時の作業性、並びにシール部材６０及びミドルケース２０の開口部３０のサイズ低減等を考慮すると、内シール部材６１及び外シール部材６２の内部には、各々対応して円環状の内金属芯部材６４及び外金属芯部材６５が配設されていることが好ましい。なお、内金属芯部材６４及び外金属芯部材６５は、必要に応じて、いずれか一方のみが配設されてもよい。
【００４１】
また、内シール部材６１の貫通孔Ｏの内周面とクーラント導入管４２の外周面との密着性を向上する観点からは、貫通孔Ｏの内周面に、それから内方に突接されると共にその円周方向に複数個配列された内凸シール部６６が配設されることが好ましい。なお、貫通孔Ｏの内周面とクーラント導入管４２の外周面との密着性をより向上する観点からは、内凸シール部６６は、その配列が複数列となるように並置されていてもよい。
【００４２】
また、外シール部材６２の外周面とミドルケース２０の開口部３０の内壁面との密着性を向上する観点からは、外シール部材６２の外周面に、それから外方に突接されると共にその円周方向に複数個配列された外凸シール部６７が配設されることが好ましい。なお、外シール部材６２の外周面とミドルケース２０の開口部３０の内壁面との密着性をより向上する観点からは、外凸シール部６７は、その配列が複数列となるように並置されていてもよい。また、内凸シール部６６及び外凸シール部６７は、必要に応じて、それらの一方のみが配設されていてもよい。
【００４３】
以上の説明から明らかなように、本実施形態における電力変換装置２においては、電力変換回路の一部を構成する電子部品９４等を冷却する冷却器４０のクーラント導入管４２及びクーラント排出管と、電子部品９４等及び冷却器４０を収容する金属製のケース２０の壁部２２と、の間をシールするようにケース２０の開口部３０に配設されたシール部材６０は、ケース２０の内圧を調整する変形自在な内圧変化緩衝部６３を備えているものであるため、簡便な構成で、クーラント導入管４２やクーラント排出管のようなクーラント配管をケースに迅速かつ円滑に取り付けることができると共に、ケースの内圧を吸収することができる電力変換装置２を提供することができる。特に、内圧変化緩衝部６３は、それ自体でケース２０の内部の空気体積変化（圧力変化）を緩衝することができるため、ベントプラグ等の付加的部品を廃止することができ、シール部材６０の構成を簡素化してその部品点数を削減することができる。併せて、シール部材６０は、ケース２０内部に湿った空気が侵入することを抑止することができ、ケース２０内の耐食性を向上するためのメッキやコーティング、更にはケース２０内の配線間等の絶縁距離確保といった過剰な結露
対策を省略することができるため、装置全体として価格低減や小型化をすることができる。また、内圧変化緩衝部６３は、シール部材６０の構成要素としてそれに一体化されて含まれた構成を有するため、シール部材６０の構成を簡素化してその部品点数を削減することができる。また、内圧変化緩衝部６３は、その変形自在な特性により、シール部材６０をケースに装着する際の微妙な位置調整を許容することができ、シール部材６０の組み付け性を向上することができる。
【００４４】
また、本実施形態における電力変換装置２においては、シール部材６０の内圧変化緩衝部６３が、ベローズ構造を有するものであるため、ベローズが動いて変形することにより、クーラント配管４２の径の大きさの変化に柔軟に対応することができ、シール部材６０の汎用性を高めることができる。
【００４５】
また、本実施形態における電力変換装置２においては、シール部材６０が、更に、ケース２０の壁部２２の内面に密接する外シール部材６２と、クーラント導入管４２及びクーラント排出管の対応するものの外面に密接する内シール部材６１と、を有する弾性部材であり、内シール部材６１及び外シール部材６２の内部には、各々、金属製の環状部材６４、６５が配設されているものであるため、シール部材６０のサイズを小さくしつつ、その強度や剛性を高めながら、その組み付け性を向上することができる。
【００４６】
また、本実施形態における電力変換装置２においては外シール部材６２におけるケース２０の壁部２２の内面との接触面、並びに内シール部材６１におけるクーラント導入管４２及びクーラント排出管の対応するものの外面との接触面の少なくとも一方に、凸シール部６６、６７を設けるものであるため、ケース２０及びクーラント配管４２に対するシール部材６０の密着性を高めることができる。
【符号の説明】
【００４７】
１…電力制御装置
２…電力変換装置
１０…ロアケース
１２…ロア周壁
１４…底壁
１６…固定部
１８…入力側３相電流用コネクタ
２０…ミドルケース
２２…ミドル周壁
２４…クーラント供給管
２６…クーラント排出管
２８…直流電流用コネクタ
３０…開口部
４０…冷却器
４２…クーラント導入管
４６…クーラント流路
６０…シール部材
６１…内シール部
６２…外シール部
６３…内圧変化緩衝部
６４…内金属芯部材
６５…外金属芯部材
６６…内凸シール部
６７…外凸シール部
７０…締結バンド
９０…下配線基板
９１…絶縁基板
９２…銅回路板
９３…半田層
９４…半導体素子
１１０…アッパケース
１１２…アッパ周壁
１１４…入出力信号用コネクタ
１２０…カバー
１３０…ボルト
Ｏ…貫通孔
【図１】
2016052204.tif 000003
【図２】
2016052204.tif 000004
【図３】
2016052204.tif 000005